(57)【要約】【課題】制御装置に電力が供給されていない時でも警告を行うことができるエレベーターの警告装置を提供する。【解決手段】警告装置は、報知器、発電機１７、停電灯電源１５、及び電力供給装置１９を備える。発電機１７は、かご１が昇降路３を移動することによって回転するローラ２１を有する。停電灯電源１５は、停電時に停電灯２０に電力を供給する。電力供給装置１９は、発電機１７が発電することによって停電灯電源１５から報知器に電力を供給する。【選択図】図１
2019034835.tif 000002
【特許請求の範囲】
【請求項１】
昇降路に配置された報知器と、
かごが前記昇降路を移動することによって回転するローラを有し、前記ローラの回転によって発電する発電機と、
停電時に、前記かごに備えられた停電灯に電力を供給する停電灯電源と、
前記発電機が発電することによって前記停電灯電源から前記報知器に電力を供給する電力供給装置と、
を備えたエレベーターの警告装置。
【請求項２】
保守員による手動運転が可能な保守モードの時に、前記かごの移動を案内するガイドレールに前記ローラを接触させる切換装置を更に備え、
前記発電機及び前記報知器は、前記かごに設けられた請求項１に記載のエレベーターの警告装置。
【請求項３】
前記切換装置は、停電時にも前記ローラを前記ガイドレールに接触させる請求項２に記載のエレベーターの警告装置。
【請求項４】
保守員による手動運転が可能な保守モードの時に、調速ロープが巻き掛けられた滑車に前記ローラを接触させる切換装置を更に備え、
前記報知器は、前記昇降路のピットに設けられた請求項１に記載のエレベーターの警告装置。
【請求項５】
前記切換装置は、停電時にも前記ローラを前記滑車に接触させる請求項４に記載のエレベーターの警告装置。
【請求項６】
前記切換装置は、登録された呼びに前記かごが順次応答する自動運転モードの時に、前記ローラを回転させない請求項２から請求項５の何れか一項に記載のエレベーターの警告装置。
【請求項７】
前記電力供給装置は、
前記かごが下方に移動している時に前記ローラが回転すると、前記停電灯電源から前記報知器に電力を供給し、
前記かごが上方に移動している時に前記ローラが回転しても、前記停電灯電源から前記報知器に電力を供給しない請求項１から請求項６の何れか一項に記載のエレベーターの警告装置。
【発明の詳細な説明】
【技術分野】
【０００１】
この発明は、エレベーターの昇降路にいる人に対して警告を行う装置に関する。
【背景技術】
【０００２】
特許文献１に、エレベーター装置が記載されている。特許文献１に記載されたエレベーター装置は、保守員に注意を促すためのスピーカを備える。このエレベーター装置では、かごがある高さに移動すると、保守員に注意を促すためのメッセージがスピーカから出力される。
【先行技術文献】
【特許文献】
【０００３】
【特許文献１】特開平６−１６３５５号公報
【発明の概要】
【発明が解決しようとする課題】
【０００４】
特許文献１に記載されたエレベーター装置では、エレベーターの制御装置からスピーカ等の各機器に電力が供給される。このため、制御装置に電力が供給されていない時は、注意喚起を行うことができないといった問題があった。
【０００５】
この発明は、上述のような課題を解決するためになされた。この発明の目的は、制御装置に電力が供給されていない時でも警告を行うことができるエレベーターの警告装置を提供することである。
【課題を解決するための手段】
【０００６】
この発明に係るエレベーターの警告装置は、昇降路に配置された報知器と、かごが昇降路を移動することによって回転するローラを有し、ローラの回転によって発電する発電機と、停電時に、かごに備えられた停電灯に電力を供給する停電灯電源と、発電機が発電することによって停電灯電源から報知器に電力を供給する電力供給装置と、を備える。
【発明の効果】
【０００７】
この発明に係るエレベーター装置であれば、制御装置に電力が供給されていない時でも警告を行うことができる。
【図面の簡単な説明】
【０００８】
【図１】実施の形態１における警告装置を備えたエレベーター装置の例を示す図である。
【図２】電力供給装置の例を説明するための図である。
【図３】電力供給装置の他の例を説明するための図である。
【図４】報知器の他の例を示す図である。
【図５】実施の形態１における警告装置の他の例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、実施の形態１における警告装置を備えたエレベーター装置の例を示す図である。エレベーター装置は、かご１及びつり合いおもり２を備える。かご１は、昇降路３を上下に移動する。昇降路３は、例えば建物の内部に形成された上下に延びる空間である。つり合いおもり２は、昇降路３を上下に移動する。かご１及びつり合いおもり２は、主ロープ４によって昇降路３に吊り下げられる。図１は、一例として、ロープ式のエレベーター装置を示す。警告装置が備えられるエレベーター装置は、油圧式であっても良い。
【００１１】
主ロープ４は、巻上機５の駆動綱車６に巻き掛けられる。巻上機５は、制御装置７によって制御される。例えば、駆動綱車６の回転及び停止は、制御装置７によって制御される。駆動綱車６が回転すると、その回転方向に応じた方向に主ロープ４が移動する。主ロープ４が移動する方向に応じて、かご１は上昇或いは下降する。巻上機５は、かご１を駆動するための装置である。制御装置７は、制御ケーブル８によってかご１に接続される。例えば、かご１に備えられた操作盤９からの情報は、制御ケーブル８を介して制御装置７に入力される。
【００１２】
図１は、巻上機５及び制御装置７が機械室１０に設けられる例を示す。巻上機５及び制御装置７は、昇降路３に設けられても良い。
【００１３】
調速機１１は、かご１の下降速度が基準速度を超えると、非常止め（図示せず）を動作させる。非常止めは、かご１に備えられる。非常止めが動作すると、かご１が強制的に停止される。調速機１１は、例えば調速ロープ１２、調速綱車１３、及び張り車１４を備える。調速ロープ１２は、かご１に連結される。調速綱車１３は、例えば機械室１０に配置される。張り車１４は、例えば昇降路３のピットに配置される。調速ロープ１２は、調速綱車１３と張り車１４とに巻き掛けられる。かご１が移動すると、調速ロープ１２が移動する。調速ロープ１２が移動すると、調速綱車１３と張り車１４とが回転する。調速綱車１３及び張り車１４は、調速ロープ１２が巻き掛けられた滑車の例である。
【００１４】
かご１に、停電灯電源１５、警告灯１６、発電機１７、切換装置１８、及び電力供給装置１９が設けられる。
【００１５】
停電灯電源１５は、停電時に、かご１に備えられた停電灯２０に電力を供給する。停電等によって制御装置７に電力が供給されなくなると、停電灯電源１５は停電灯２０を点灯させる。図１は、一例として、停電灯電源１５がかご１の上面に設けられる例を示す。停電灯電源１５は、機械室１０等に配置されても良い。
【００１６】
警告灯１６は、昇降路３にいる人に対してかご１が移動していることを伝える報知器の一例である。警告灯１６は、昇降路３に配置される。図１は、警告灯１６がかご１の下面に設けられる例を示す。図１に示す例では、警告灯１６が点灯すると、昇降路３のうち警告灯１６より下方の部分が警告灯１６からの光によって照らされる。図１に示す例では、昇降路３のピットが警告灯１６からの光によって照らされる。
【００１７】
発電機１７は、かご１が移動することによって発電する。発電機１７は、例えばローラ２１を備える。ローラ２１は、かご１が昇降路３を移動することによって回転する。発電機１７は、ローラ２１が回転することによって発電する。図１は、ローラ２１がガイドレール２２に接触する例を示す。ガイドレール２２は、かご１の移動を案内するためのレールである。ガイドレール２２は、かご１の移動範囲に亘って昇降路３に一直線状に配置される。ローラ２１がガイドレール２２に接触した状態でかご１が移動すると、ローラ２１は回転する。
【００１８】
切換装置１８は、ローラ２１の位置を切り換える。ローラ２１は、ガイドレール２２に接触する接触位置とガイドレール２２に接触しない非接触位置とに配置可能である。切換装置１８は、警告灯１６を点灯させる必要がある時にローラ２１を接触位置に配置する。切換装置１８は、警告灯１６を点灯させる必要がない時にローラ２１を非接触位置に配置する。
【００１９】
電力供給装置１９は、停電灯電源１５から警告灯１６に電力を供給する。電力供給装置１９は、発電機１７が発電することによって停電灯電源１５からの電力を警告灯１６に供給する。図２は、電力供給装置１９の例を説明するための図である。電力供給装置１９は、例えばリレー２３を備える。発電機１７が発電すると、リレー２３の接点２３ａが閉じる。図２に示す例では、停電灯電源１５、リレー２３の接点２３ａ、及び警告灯１６が直列に接続される。このため、接点２３ａが閉じると、停電灯電源１５からの電力が警告灯１６に供給される。これにより、警告灯１６が点灯する。
【００２０】
本実施の形態に示す例では、警告灯１６への電力供給が停電灯電源１５から行われる。このため、制御装置７に電力が供給されていない時でも、昇降路３にいる人に対して警告灯１６による警告を行うことができる。
【００２１】
以下に、本警告装置が採用可能な他の機能について説明する。警告装置は、以下に示す複数の機能を組み合わせて採用しても良い。
【００２２】
切換装置１８は、保守モードの時にローラ２１を接触位置に配置しても良い。制御装置７は、例えば自動運転モードと保守モードとを行う。自動運転モードは、登録された呼びにかご１が順次応答する運転モードである。保守モードは、保守員が保守作業を行う時に設定する運転モードである。保守モードであれば、保守員による手動運転が可能である。例えば、制御装置７に備えられた特定のスイッチが入れられると、保守モードが開始される。保守員は、特定の端末を操作して手動運転を行う。
【００２３】
例えば、切換装置１８は、自動運転モードの時にローラ２１を非接触位置に配置する。ローラ２１は、非接触位置に配置されると、かご１が移動しても回転しない。このため、自動運転モードの時に警告灯１６は点灯しない。一方、切換装置１８は、保守モードの時にローラ２１を接触位置に配置する。ローラ２１は、接触位置に配置されると、かご１が移動することによって回転する。このため、保守モードの時にかご１が移動すると警告灯１６が点灯する。
【００２４】
切換装置１８は、ローラ２１を吸引するための電磁石とローラ２１をガイドレール２２に押し付けるための弾性部材とを備えても良い。例えば、切換装置１８は、制御装置７から電力が供給されることによって電磁石によりローラ２１を吸引し、ローラ２１を非接触位置に配置する。上記例であれば、切換装置１８は、自動運転モードの時に電磁石によってローラ２１を吸引する。一方、制御装置７から切換装置１８に電力が供給されなくなると、弾性部材によってローラ２１が接触位置に配置される。この例であれば、停電時にもローラ２１を接触位置に配置することができる。
【００２５】
図３は、電力供給装置１９の他の例を説明するための図である。図３に示す例では、電力供給装置１９は、リレー２３に加えてダイオード２４を更に備える。ダイオード２４は、例えば、かご１が下方に移動するときに電流が流れるように発電機１７とリレー２３との間に接続される。このため、電力供給装置１９は、かご１が下方に移動している時にローラ２１が回転すると、停電灯電源１５から警告灯１６に電力を供給する。一方、電力供給装置１９は、かご１が上方に移動している時にローラ２１が回転しても、停電灯電源１５から警告灯１６に電力を供給しない。図３に示す例であれば、かご１が下方に移動している時のみ警告灯１６による警告を行うことができる。
【００２６】
図４は、報知器の他の例を示す図である。例えば、かご１に、報知器として警告灯１６とスピーカ２５とが設けられる。図４に示す例では、警告灯１６が点灯する時に、スピーカ２５から警告音が発せられる。報知器として複数の機器が備えられている場合は、かご１の移動速度に応じて警告を行う機器を変えても良い。例えば、ローラ２１の回転速度が基準値以下の場合は、警告灯１６による警告のみが行われる。ローラ２１の回転速度が基準値を超えると、警告灯１６及びスピーカ２５の双方による警告が行われる。なお、ローラ２１の回転速度に応じて警告灯１６の点灯方法を変えても良い。ローラ２１の回転速度に応じてスピーカ２５から発せられる警告音を変えても良い。
【００２７】
図５は、実施の形態１における警告装置の他の例を示す図である。図１は、移動体であるかご１に発電機１７が設けられる例を示す。これに対し、図５は、回転体である滑車にローラ２１を接触させる例を示す。図５に示す例では、巻上機５及び調速綱車１３は、昇降路３の頂部に設けられる。制御装置７は、昇降路３のピットに設けられる。
【００２８】
また、停電灯電源１５及び電力供給装置１９は、制御装置７の筐体内に設けられる。警告灯１６は、昇降路３のピットに設けられる。図５に示す例では、警告灯１６が点灯すると、昇降路３のピットが警告灯１６からの光によって照らされる。
【００２９】
図５に示す例においても、発電機１７は、かご１が移動することによって発電する。即ち、図５に示す例では、ローラ２１は張り車１４に接触する。ローラ２１が張り車１４に接触した状態でかご１が移動すると、ローラ２１は回転する。図５に示す例では、切換装置１８は、ローラ２１の位置を、張り車１４に接触する接触位置と張り車１４に接触しない非接触位置とに切り換える。電力供給装置１９及び報知器に関しては、図２から図４の何れの例を採用しても構わない。
【００３０】
図５に示す例であっても、図１に示す例が奏する効果と同様の効果を奏することができる。なお、切換装置１８は、自動運転モードの時にローラ２１を非接触位置に配置し、保守モードの時にローラ２１を接触位置に配置しても良い。切換装置１８は、ローラ２１を吸引するための電磁石とローラ２１を張り車１４に押し付けるための弾性部材とを備えても良い。この例であれば、停電時にもローラ２１を接触位置に配置することができる。
【符号の説明】
【００３１】
１  かご、  ２  つり合いおもり、  ３  昇降路、  ４  主ロープ、  ５  巻上機、  ６  駆動綱車、  ７  制御装置、  ８  制御ケーブル、  ９  操作盤、  １０  機械室、  １１  調速機、  １２  調速ロープ、  １３  調速綱車、  １４  張り車、  １５  停電灯電源、  １６  警告灯、  １７  発電機、  １８  切換装置、  １９  電力供給装置、  ２０  停電灯、  ２１  ローラ、  ２２  ガイドレール、  ２３  リレー、  ２３ａ  接点、  ２４  ダイオード、  ２５  スピーカ
【図１】
2019034835.tif 000003
【図２】
2019034835.tif 000004
【図３】
2019034835.tif 000005
【図４】
2019034835.tif 000006
【図５】
2019034835.tif 000007